(57)【要約】【課題】構造が簡単でコンパクト、部品コスト及び組立コストの削減が図れる粘着テープ繰り出し装置等を提供すること。【解決手段】上記問題点を解決するために、本発明の粘着テープ繰り出し装置１は、繰り出しギヤ１３、ラチェットギヤ１５、従動ギヤ１７、巻取りボビン１９、作用杆２１、ケース２７及びテープ支持部材２３とを有し、作用杆２１は弾性変形できる材料によって構成されており、作用杆２１の一部に設けられ、ケース２７外に突出している操作部３７を所定の方向に移動させることによって作用杆２１を撓み変形ないし弾性変形させて作用杆２１の係止爪３１がラチェットギヤ１５を押圧して回転させるようにした。【選択図】        図２
2005330077.tif 000002
【特許請求の範囲】
【請求項１】
巻かれた状態の粘着テープが保持されるテープベースと、前記テープベースの一端が係止される繰り出しギヤ及び繰り出しギヤと一体のラチェットギヤと、前記繰り出しギヤに噛み合う従動ギヤ及び従動ギヤと一体の巻取りボビンと、前記ラチェットギヤと噛み合う係止爪を有する作用杆と、前記テープベース、繰り出しギヤ、ラチェットギヤ、従動ギヤ、巻取りボビン及び係止爪を有する作用杆を収容するケースと、前記ケースに形成されたテープ露出窓と、前記テープ露出窓からケース外へ、一部が突出して備えられたテープ支持部材とを有しており、テープベースに保持された粘着テープはテープ露出窓からケース外へ引き出されて、テープ支持部材のケース外へ露出した部分に粘着テープの裏面が摺接し、他端が巻取りボビンに連結された状態で装着されていると共に、前記作用杆の係止爪によりラチェットギヤを押圧して回転させることによって粘着テープを繰り出すようにした粘着テープ繰り出し装置において、前記作用杆は弾性変形できる材料によって構成されており、作用杆の一部に設けられ、ケース外に突出している操作部を所定の方向に移動させることによって作用杆を撓み変形ないし弾性変形させて係止爪がラチェットギヤを押圧して回転させるようにしたことを特徴とする粘着テープ繰り出し装置。
【請求項２】
請求項１に記載した粘着テープ繰り出し装置において、テープ支持部材は作用杆から立ち上げられている取付軸部に対して回転自在に軸支されており、作用杆をラチェットギヤが回転する方向に撓み変形ないし弾性変形させることによって、前記テープ支持部材は支持している粘着テープに対して離間する方向に移動するように構成されていることを特徴とする粘着テープ繰り出し装置。
【請求項３】
請求項１または２に記載した粘着テープ繰り出し装置において、繰り出しギヤとケースとの間には、逆転防止爪と逆転防止爪と係合するラチェットギヤとを備える逆転防止構造が設けられていることを特徴とする粘着テープ繰り出し装置。
【請求項４】
請求項１〜３のいずれかに記載した粘着テープ繰り出し装置を便座等の被取付部に取り付けるための粘着テープ繰り出し装置取付ユニットであって、上面に開口部を有し、前記粘着テープ繰り出し装置を収容するホルダ部と、前記ホルダ部に連結され、被取付部に固定される固定部とを備えていることを特徴とする粘着テープ繰り出し装置取付ユニット。
【請求項５】
請求項４に記載した粘着テープ繰り出し装置取付ユニットを備えた便座であって、便座上に載置される使い捨て便座シートを、前記粘着テープ繰り出し装置のケースのテープ露出窓から露出し、且つ裏面がテープ支持部材によって支持される粘着テープの一部分によって保持するようにしたことを特徴とする便座。
【請求項６】
請求項１〜３のいずれかに記載した粘着テープ繰り出し装置を備えた便座シート収納キャビネットであって、使い捨て便座シートを多数収容し、開口を有する本体と、前記本体に開閉自在に取り付けられる蓋体とを有し、前記蓋体には前記粘着テープ繰り出し装置が取り付けられ、蓋体を開けると収容された使い捨て便座シートが、前記粘着テープ繰り出し装置のケースの露出窓から露出し、且つ裏面がテープ支持部材によって支持される粘着テープの一部分によって保持されて引き出されるようにしたことを特徴とする便座シート収納キャビネット。
【発明の詳細な説明】
【技術分野】
【０００１】
本発明は、例えば病院、デパート等の公衆トイレや新幹線等の旅客車両用のトイレ等において使用されている、いわゆる使い捨てタイプの便座シートの便座に対する簡易固定を目的とする粘着テープ繰り出し装置、該粘着テープ繰り出し装置を便座等に取り付けるための粘着テープ繰り出し装置取付ユニット、該粘着テープ繰り出し装置取付ユニットを備えた便座及び前記粘着テープ繰り出し装置を備えた便座シート収納キャビネットに関するものである。
【背景技術】
【０００２】
公衆トイレや新幹線等の旅客車両用のトイレ等において設けられる、不特定多数の人が頻繁に利用する便器に対しては、衛生上の観点からいわゆる使い捨てタイプの便座シート（以下、使い捨て便座シートという）が用いられている。
この場合、利用者はボックス状のキャビネットに予め収納されている使い捨て便座シートを取り出し、これを便座の上に単に載置して、使用後はそのままゴミ箱等に廃棄していた。このため従来は使用に際して、使い捨て便座シートが位置ずれを起こしたり、便座から落下するおそれがあった。
【０００３】
そしてこのような事態を防ぐために、便座シートに粘着性を持たせたものも登場し普及を見せている。また本出願人も上記粘着性を有する使い捨て便座シートを使用することを前提に粘着テープの安定した繰り出しを可能とする粘着テープ等の繰り出し装置と、便座シートの簡易固定を目的として粘着テープの接着という新たな機能を付加した便座シート収納キャビネットとを提案している（特許文献１参照）。
【０００４】
しかし上述の粘着テープ等の繰り出し装置にあっては、材質を異にする多くの部品が使用されており、構造も複雑であったため、部品点数の増加、これに起因する部品コスト及び組立コストの増大、装置の小型化の困難性等の問題が生じていた。
また粘着テープ繰り出し装置は専用の取付ユニットを使用すれば種々の被取付部に取り付けることが可能であるが、このような取付ユニット自体が従来存在していなかった。またこのような取付ユニットを備える便座も当然存在していなかった。
【０００５】
【特許文献１】特開２００３−０９５５２３号公報
【発明の開示】
【発明が解決しようとする課題】
【０００６】
本発明は、このような背景技術及び背景技術が抱える問題点の存在を踏まえてなされたものであって、構造をできるだけ簡単にし、材料の共通化と部品点数の減少とを図ることによって部品コスト及び組立コストの削減、装置の更なる小型化を可能にする粘着テープ繰り出し装置、該粘着テープ繰り出し装置を種々の被取付部に対して取り付けるための粘着テープ繰り出し装置取付ユニット、該粘着テープ繰り出し装置取付ユニットを備えた便座及び前記粘着テープ繰り出し装置を備えた便座シート収納キャビネットを提供することを課題とするものである。
【課題を解決するための手段】
【０００７】
上記課題を解決するために、請求項１の発明は、巻かれた状態の粘着テープが保持されるテープベースと、前記テープベースの一端が係止される繰り出しギヤ及び繰り出しギヤと一体のラチェットギヤと、前記繰り出しギヤに噛み合う従動ギヤ及び従動ギヤと一体の巻取りボビンと、前記ラチェットギヤと噛み合う係止爪を有する作用杆と、前記テープベース、繰り出しギヤ、ラチェットギヤ、従動ギヤ、巻取りボビン及び係止爪を有する作用杆を収容するケースと、前記ケースに形成されたテープ露出窓と、前記テープ露出窓からケース外へ、一部が突出して備えられたテープ支持部材とを有しており、テープベースに保持された粘着テープはテープ露出窓からケース外へ引き出されて、テープ支持部材のケース外へ露出した部分に粘着テープの裏面が摺接し、他端が巻取りボビンに連結された状態で装着されていると共に、前記作用杆の係止爪によりラチェットギヤを押圧して回転させることによって粘着テープを繰り出すようにした粘着テープ繰り出し装置において、前記作用杆は弾性変形できる材料によって構成されており、作用杆の一部に設けられ、ケース外に突出している操作部を所定の方向に移動させることによって作用杆を撓み変形ないし弾性変形させて係止爪がラチェットギヤを押圧して回転させるようにしたことを特徴とする粘着テープ繰り出し装置である。
【０００８】
請求項２の発明は、請求項１に記載した粘着テープ繰り出し装置において、テープ支持部材は作用杆から立ち上げられている取付軸部に対して回転自在に軸支されており、作用杆をラチェットギヤが回転する方向に撓み変形ないし弾性変形させることによって、前記テープ支持部材は支持している粘着テープに対して離間する方向に移動するように構成されていることを特徴とする粘着テープ繰り出し装置である。
【０００９】
請求項３の発明は、請求項１または２に記載した粘着テープ繰り出し装置において、繰り出しギヤとケースとの間には、逆転防止爪と逆転防止爪と係合するラチェットギヤとを備える逆転防止構造が設けられていることを特徴とする粘着テープ繰り出し装置である。
【００１０】
請求項４の発明は、請求項１〜３のいずれかに記載した粘着テープ繰り出し装置を便座等の被取付部に取り付けるための粘着テープ繰り出し装置取付ユニットであって、上面に開口部を有し、前記粘着テープ繰り出し装置を収容するホルダ部と、前記ホルダ部に連結され、被取付部に固定される固定部とを備えていることを特徴とする粘着テープ繰り出し装置取付ユニットである。
【００１１】
請求項５の発明は、請求項４に記載した粘着テープ繰り出し装置取付ユニットを備えた便座であって、便座上に載置される使い捨て便座シートを、前記粘着テープ繰り出し装置のケースのテープ露出窓から露出し、且つ裏面がテープ支持部材によって支持される粘着テープの一部分によって保持するようにしたことを特徴とする便座である。
【００１２】
請求項６の発明は、請求項１〜３のいずれかに記載した粘着テープ繰り出し装置を備えた便座シート収納キャビネットであって、使い捨て便座シートを多数収容し、開口を有する本体と、前記本体に開閉自在に取り付けられる蓋体とを有し、前記蓋体には前記粘着テープ繰り出し装置が取り付けられ、蓋体を開けると収容された使い捨て便座シートが、前記粘着テープ繰り出し装置のケースの露出窓から露出し、且つ裏面がテープ支持部材によって支持される粘着テープの一部分によって保持されて引き出されるようにしたことを特徴とする便座シート収納キャビネットである。
【発明の効果】
【００１３】
本発明の粘着テープ繰り出し装置によれば、構造を簡単にでき、材料の共通化と部品点数の減少とが図れ、部品コスト及び組立コストの削減と装置の更なる小型化とが達成される。
さらに本発明の粘着テープ繰り出し装置ユニットによれば、上記粘着テープ繰り出し装置を被取付部における既存の構成に変更を加えることなく、種々の被取付部に取り付けることが可能となる。
また本発明の便座や便座シート収納キャビネットによれば、便座に対する使い捨て便座シートの簡易固定、積層状態の使い捨て便座シートの分離、引き出しが容易になり、使い勝手が大幅に向上する。
【発明を実施するための最良の形態】
【００１４】
以下、下記の実施例１から実施例５によって、本発明に係る粘着テープ繰り出し装置１、粘着テープ繰り出し装置取付ユニット３、便座５及び便座シート収納キャビネット７を実施するための最良の形態について説明する。
【実施例１】
【００１５】
実施例１は、本発明に係る粘着テープ繰り出し装置１を実施するための最良の形態の一例を示している。粘着テープ繰り出し装置１は、図１に示す分解平面図、あるいは図２に示す分解斜視図に示すように粘着テープＴ、繰り出しギヤ１３、ラチェットギヤ１５、従動ギヤ１７、巻取りボビン１９、作用杆２１、テープ支持部材としての支持ローラ２３及び逆転防止爪２５等の諸部材をケース２７内に収容し、カバー２９によってケース２７の開口面を閉塞することによって構成されている。
粘着テープＴは便座シートＳの簡易固定に必要な粘着力を有する各種のテープが使用でき、本実施例では、テープ幅８ｍｍ、テープ全長８ｍのものを使用した。
【００１６】
繰り出しギヤ１３は、後述する作用杆２１による送り作用によって所定の方向（図３、図４のおいて時計回りの方向）に所定のピッチずつ回転する駆動ギヤである。繰り出しギヤ１３には、繰り出しギヤ１３より小径のラチェットギヤ１５が一体に設けられている。ラチェットギヤ１５は、鋸刃状の歯が多数周面に形成されたギヤで、作用杆２１に設けられている係止爪３１による押圧力を受けながら一方向（図３、図４のおいて時計回りの方向）のみに所定のピッチずつ回転する。
【００１７】
従動ギヤ１７は、繰り出しギヤ１３と噛み合い、繰り出しギヤ１３の回転と連動して反対方向（図３、図４のおいて反時計回りの方向）に同一ピッチで回転する巻き取り側のギヤである。また従動ギヤ１７には一端面が開口したキャップ状の巻き取りボビン１９が一体に設けられている。
また作用杆２１は、湾曲形成された長杆状の部材を適宜屈曲させることによって構成されており、ケース２７に固定される基端部３３を支点として、片持ち梁状態に撓み変形ないし弾性変形する。
【００１８】
作用杆２１の自由端には上述のラチェットギヤ１５と直接係合し、押圧することによってラチェットギヤ１５ないし繰り出しギヤ１３の送り作用をする係止爪３１が設けられている。
また作用杆２１の中間部には、基端部３３寄り（図３、４中、左上部）に支持ローラ２３を回転自在に軸支する取付軸部３５、湾曲する中間から係止爪３１寄り（図３、４中、右上部）の部分がケース２７外に突出する操作部３７、そして操作部３７と係止爪３１との間には当接段部４１が設けられている。この当接段部４１が後述するブロック部５０の周面に当接して、操作部３７が図３において反時計回りの方向へ回動するのが規制されている。
【００１９】
支持ローラ２３は、上述の取付軸部３５に対して回転自在に設けられており、支持ローラ２３の一部はケース２７のテープ露出窓４３から突出するようになっている。また逆転防止爪２５は、上述のラチェットギヤ１５と共に繰り出しギヤ１３の逆転を防止する逆転防止構造４５を構成している。
逆転防止爪２５は、湾曲形成された長杆状の部材をＬ字状に屈曲させたもので、作用杆２１と同様に、ケース２７に固定される基端部４７を支点として、片持ち梁状態に撓み変形ないし弾性変形する。
【００２０】
逆転防止爪２５の自由端にはラチェットギヤ１５と直接係合することで繰り出しギヤ１３の逆転を防止する係合爪部４９が設けられている。
ケース２７は、矩形筐体状の部材で図３、４中、紙面前方側の面は開口されている。またケース２７の図３、４中、上方に位置する面は、便座シートＳとの対向面５１になっていて、この対向面５１に対して上述のテープ露出窓４３と、作用杆２１の操作部３７が突き出るための開口部５２、操作部３７の移動を可能にする開口部５３が設けられている。
また、ケース２７にはカバー２９に設けられたピン４２、４４が挿入される穴４８ａ、５０ａが形成されたブロック部４８、５０が設けられている。ピン４２、４４が穴４８ａ、５０ａに嵌合して、カバー２９がケース２７に取り付けられる。
【００２１】
ケース２７の図３、４中、紙面後方側の面には、同図紙面前方に向って中空円筒状の支持ポスト５９、６１が立ち上げられている。このうち同図右側に位置する支持ポスト５９は、繰り出しギヤ１３を回転自在に支持する部材であり、同図左側に位置する支持ポスト６１は、従動ギヤ１７を回転自在に支持する部材である。
また支持ポスト５９、６１間の距離は、これらに嵌合する繰り出しギヤ１３と従動ギヤ１７が最適な状態で噛み合うことができる状態に設定されている。
【００２２】
この他、ケース２７の図３、４中、左右に位置する側板６３、６５には係合突起６７が設けられていて、粘着テープ繰り出し装置１の装着の際に使用される。
カバー２９は上述したようにケース２７の開口面を閉塞する部材で、ケース２７における支持ポスト５９に対して内嵌する中空円筒状の嵌合凸部６９と、粘着テープＴの張り調整等を行う場合に使用する円形状の調整窓７１が設けられている。
【００２３】
繰り出しボビン７３は支持ポスト５９に回転自在に支持されている。粘着テープＴは、一端が繰り出しギヤ１３側の繰り出しボビン７３に対して係止され、繰り出しボビン７３に所定巻数巻かれた後、テープ露出窓４３からケース２７外へ引き出される。
ケース２７外へ引き出された粘着テープＴは、支持ローラ２３のケース２７外へ露出した部分に裏面が摺接し、支持ローラ２３に巻回された後、再びテープ露出窓４３からケース２７内へ引き戻される。
ケース２７内に引き戻された粘着テープＴの他端は巻取りボビン１９に対して係止され、繰り出しギヤ１３の回転に伴って、巻取りボビン１９に巻き取られて行く。
【００２４】
次にこのようにして構成される粘着テープ繰り出し装置１の作動態様について説明する。
粘着テープＴを繰り出す場合には使用者は作用杆２１の操作部３７に指を掛け、操作部３７を押すだけでよい。操作部３７に力が作用すると、作用杆２１は基端部３３を支点としてラチェットギヤ１５を回転させる方向に撓み変形ないし弾性変形する。
また作用杆２１の撓み変形ないし弾性変形に伴って支持ローラ２３はケース２７の内方に向って移動するようになる。支持ローラ２３がケース２７の内方に向って移動すると粘着テープＴのテンションが緩むため、支持ローラ２３に対する粘着テープＴとの圧接力も弱くなり、粘着テープＴの送り動作が円滑に行われるようになる。
【００２５】
一方、作用杆２１の自由端に設けられている係止爪３１は、ラチェットギヤ１５に係合し、ラチェットギヤ１５を押圧するため、所定の回転送り量だけ回転する。ラチェットギヤ１５が回転すると、ラチェットギヤ１５と一体の繰り出しギヤ１３も同方向に同じ回転送り量だけ回転し、繰り出しギヤ１３と噛み合っている従動ギヤ１７も逆方向に同じ回転送り量だけ回転する。
これに伴って、従動ギア１７と共に巻き取りボビン１９が回転することにより粘着テープＴが巻き取られて、これにより繰り出しボビン７３が繰り出しギヤ１３とは独立して回転し、粘着テープＴが繰り出される。
【００２６】
また粘着テープＴの繰り出しによって支持ローラ２３も所定量回転するため、接着面として使用されるテープ露出窓４３から露出している粘着テープＴの部位も移動し、粘着力の強い未使用の粘着テープＴが露出するようになる。
またラチェットギヤ１５には逆転防止爪２５が係合しているため、ラチェットギヤ１５ないし繰り出しギヤ１３の逆転が防止されているから、粘着テープＴの確実な送りと、巻回された粘着テープＴの弛みの防止が図られている。
【実施例２】
【００２７】
実施例２は、本発明に係る粘着テープ繰り出し装置取付ユニット３を実施するための最良の形態の一例を示している。粘着テープ繰り出し装置取付ユニット３は、便座５等の被取付部に上述の粘着テープ繰り出し装置１を取り付けるために使用される部材である。
粘着テープ繰り出し装置取付ユニット３は、図５〜７に示すように上面に開口部７５を有し、前記粘着テープ繰り出し装置１を収容するホルダ部７７と、前記ホルダ部７７に連結され、便座５の裏面等に固定される固定部７９とを備えている。
【００２８】
ホルダ部７７は矩形筐体状の部材で、上面の開口部７５には同じく矩形筐体状のホルダカバー８１が取り付けられる。そしてホルダ部７７とホルダカバー８１が組み合わされた状態で粘着テープ繰り出し装置１におけるケース２７より一回り大きな矩形状の筐体が形成されるようになっている。
ホルダ部７７の左右の側板８３、８５の上部内壁面には係合溝８７が設けられている。この係合溝８７には粘着テープ繰り出し装置１のケース２７における側板６３、６５の外壁面に設けられている係合突起６７が係合するようになっている。
【００２９】
またホルダカバー８１の上面には、粘着テープ繰り出し装置１においてケース２７から露出する粘着テープＴ及び支持ローラ２３を露出させるテープ露出窓８９と、操作部３７をホルダカバー８１外へ突出させるための開口部９１が設けられている。
またホルダ部７７とホルダカバー８１との接合部には、両者の接合を容易、確実にするための係合構造が設けられている。
【００３０】
固定部７９はホルダ部７７の後方上縁部から後方に庇状に張り出すように設けられており、本実施例では便座５の裏面に固定することを前提にしているため、便座５の先端部の形状に合わせて左右に二股に分かれた円弧状の延長形成部９３を伴った形状になっている。
ホルダカバー８１は粘着テープ繰り出し装置取付ユニット３の必須の構成ではなく、省略することも可能である。その場合には、ホルダ部７７の上面の開口部７５は粘着テープ繰り出し装置１におけるケース２７の対向面５１によって閉塞される構成となる。
【実施例３】
【００３１】
実施例３は、本発明に係る便座５を実施するための最良の形態の一例を示している。便座５は、上記粘着テープ繰り出し装置取付ユニット３を備えた便座である。具体的には図５〜７に示すように便座５の先端部の裏面に粘着テープ繰り出し装置１を装着した粘着テープ繰り出し装置取付ユニット３の固定部７９を取り付けることによって構成されている。
便座５の先端部の裏面９５が平坦である場合には、図６（ａ）に示すように粘着テープ繰り出し装置取付ユニット３の固定部７９を便座５の先端部の裏面９５に、接着剤や粘着テープを使用して直接接着し、便座５の先端部の裏面９５が内側にえぐられたように湾曲している場合には、図６（ｂ）に示すようにスペーサとなるクッション材９７等を両者の間に介在させて接着するようにする。
【００３２】
そして本実施例に係る便座５を使用する場合には、便座５上に使い捨て便座シートＳを載置し、粘着テープ繰り出し装置１のケース２７のテープ露出窓４３から露出し、更にホルダカバー８１のテープ露出窓８９から露出している粘着テープＴの一部分に接着させて使い捨て便座シートＳを保持するようにする。また使用後は使用した使い捨て便座シートＳを取り除いて廃棄し、操作部３７を操作して粘着テープＴを所定ピッチ送って使用していない新たな接着面を露出させ、新たな使い捨て便座シートＳを便座５上に載置する。
【実施例４】
【００３３】
実施例４は、本発明に係る粘着テープ繰り出し装置取付ユニット１８０及び当該粘着テープ繰り出し装置取付ユニット１８０を取り付けた便座を実施するための最良の形態の一例を示している。図８に示すように実施例４は、粘着テープ繰り出し装置１をホルダ部１７７に収容し係合突起６７を係合溝１８７に係合させて、粘着テープ繰り出し装置１をホルダ部１７７に固定する。そして、ホルダカバー１８１をホルダ部１７７に装着して、粘着テープＴをテープ露出窓１８９から露出させる。ホルダ部１７７には上記した実施例のホルダ部７７のように延長形成部９３は形成されておらず、ホルダ１７７を便座５の裏面に接着剤や粘着テープを使用して直接接着する。本実施例では、露出窓１８９から露出する粘着テープＴは前方を向いており、且つ便座５の先端部５ａとほぼ同じ位置に備えられる。
使い捨て便座シートＳの先端部は便座５の先端部５ａから垂下するように位置して粘着テープＴに保持される。
なお、便座５の下面にはクッションを兼ねたスペーサ１８２が取り付けられており、便座５の下面と便器１８４の上面との間には、粘着テープ繰り出し装置取付ユニット１８０を配置するのに十分な隙間がある。
【実施例５】
【００３４】
実施例５は、本発明に係る便座シート収納キャビネット７を実施するための最良の形態の一例を示している。便座シート収納キャビネット７には上記粘着テープ繰り出し装置１が一例として図９に示すように２基設けられている。
粘着テープ繰り出し装置１は、使い捨て便座シートＳを多数収容し、開口９９を有する本体１０１と、前記本体１０１に開閉自在に取り付けられている蓋体１０３とを有している。
【００３５】
本体１０１は図１０に示すように積層状態の使い捨て便座シートＳを束のまま、二つ折りにして収納し得る容器状の部材である。本体１０１の上面及び前面の開口９９は開動軸１０５を中心として上下に回動する蓋体１０３によって通常は閉塞されている。
また本体１０１における前面の開口９９の後方には仕切板１０７が設けられている。仕切板１０７の前面には二つ折りされた使い捨て便座シートＳの自由端側垂下部分を裏側から支持する押圧凸部１０９が設けられている。
【００３６】
尚、押圧凸部１０９は粘着テープ繰り出し装置１の個数及び取付位置に対応して２つ、それぞれ対応する位置に設けられている。押圧凸部１０９には硬質スポンジやフェルト等から成る図示しない押圧パッドを貼設することができる。尚、押圧凸部１０９は収納されている使い捨て便座シートＳの枚数が少ないときでも確実に粘着テープＴの接着が行われるように設けられているものである。
また蓋体１０３には、粘着テープ繰り出し装置１を取り付けるために蓋体１０３の裏面側に角筒状に立ち上げられているホルダ部１１３が設けられている。
図１０、図１１に示すように、粘着テープ繰り出し装置１はホルダ部１１３内に挿入し、ホルダ部１１３の端面と対向面５１とが面一となる位置にして取り付ける。
【００３７】
そして本実施例に係る便座シート収納キャビネット７を使用する場合には、蓋体１０３を上方に回動させて本体１０１の前面の開口９９を開放状態にして、本体１０１内に使い捨て便座シートＳを束のまま二つ折りした状態で収納する。
次に蓋体１０３を下方に回動させて閉塞状態とする。
使い捨て便座シートＳを取り出す場合には蓋体１０３を一度軽く押した後、前方に開く。該押込み動作によって操作部３７が押されて粘着テープＴが所定ピッチ繰り出され、支持ローラ２３によって裏面が支持されている粘着テープＴが最前面に位置する使い捨て便座シートＳに接着する。
【００３８】
これにより蓋体１０３の裏面に使い捨て便座シートＳが１枚付着した状態になり、その使い捨て便座シートＳが粘着テープＴの一部分によって保持された状態で引き出されて本体１０１から取り出される。
蓋体１０３の裏面に付着している使い捨て便座シートＳを軽く引っ張ると、１枚の使い捨て便座シートＳが引き出される。
【００３９】
以上、本発明の実施例１〜実施例５について説明してきたが、本発明の具体的な構成は、このような実施例に限定されるものではなく、本発明の要旨から外れない範囲での設計変更等があっても本発明に含まれる。例えば、実施例１において説明した逆転防止構造４５は説明した構成に限らない。具体的には繰り出しギヤ１３の回転送りに使用したラチェットギヤ１５を兼用するのではなく、別個独立して設けられるラチェットギヤを使用する構成とすることも可能である。またこの場合において逆転防止用のラチェットギヤを従動ギヤ１７側に設けることも可能である。
【００４０】
また、逆転防止構造４５としては、特許文献１において開示されているような鋸刃状リングギヤと弾性係止片とから成るものも採用でき、構造の違う複数の逆転防止構造４５を併用する構成とすることも可能である。
また本発明に係る粘着テープ繰り出し装置１、粘着テープ繰り出し装置取付ユニット３は、使い捨て便座シートＳの簡易固定を目的に使用する他、ファミリーレストランやファーストフード店等で使用されているトレー上に載置するトレーシートやナプキン等の簡易固定を目的に使用することも可能である。
同様にして、本発明に係る便座シート収納キャビネット７も名称はそぐわない感もあるが、このようなトレーシートやナプキン等の収納キャビネットとしても使用可能である。
【００４１】
粘着テープＴには、粘着テープＴの１回の繰り出し量（ピッチ）に合わせて、２.５ｍｍ間隔でスリットが入れてあるものを使用してもよい。この粘着テープＴを使用すれば、粘着テープＴから短冊状の粘着部が剥離して使い捨て便座シートＳに付着し、これにより粘着部付きの便座シートＳを得ることができる。
【図面の簡単な説明】
【００４２】
【図１】本発明の実施例１に係る粘着テープ繰り出し装置を示す分解平面図である。
【図２】本発明の実施例１に係る粘着テープ繰り出し装置を示す分解斜視図である。
【図３】本発明の実施例１に係る粘着テープ繰り出し装置を示すカバーを取り外した状態の待機時の平面図である。
【図４】本発明の実施例１に係る粘着テープ繰り出し装置を示すカバーを取り外した状態の繰り出し時の平面図である。
【図５】本発明の実施例２に係る粘着テープ繰り出し装置取付ユニット及び本発明の実施例３に係る便座を一部拡大して示す斜視図である。
【図６】本発明の実施例２に係る粘着テープ繰り出し装置取付ユニット及び本発明の実施例３に係る便座の固定部周辺を拡大して示す側断面図である。
【図７】本発明の実施例３に係る粘着テープ繰り出し装置取付ユニット及び本発明の実施例３に係る便座を示す使い捨て便座シート載置時の状態を示す平面図である。
【図８】本発明の実施例４に係る粘着テープ繰り出し装置取付ユニット及び当該粘着テープ繰り出し装置取付ユニットを取り付けた便座の固定部周辺を拡大して示す側断面図である。
【図９】本発明の実施例５に係る便座シート収納キャビネットの使用状態を示す斜視図である。
【図１０】本発明の実施例５に係る便座シート収納キャビネットの使用状態を示す側断面図である。
【図１１】本発明の実施例５に係る便座シート収納キャビネットの蓋体を裏返した状態の斜視図である。
【符号の説明】
【００４３】
１  粘着テープ繰り出し装置
３、１８０  粘着テープ繰り出し装置取付ユニット
５  便座      ５ａ  便座の先端部      ７  便座シート収納キャビネット
９  被取付部      １３  繰り出しギヤ      １５  ラチェットギヤ
１７  従動ギヤ      １９  巻取りボビン      ２１  作用杆
２３  支持ローラ（テープ支持部材）      ２５  逆転防止爪
２７  ケース      ２９  カバー      ３１  係止爪      ３３  基端部
３５  取付軸部      ３７  操作部      ３９  上限ストッパ
４１  当接段部      ４３  テープ露出部      ４５  逆転防止構造
４７  基端部      ４９  係合爪部      ５１  対向面      ５３  開口部
４８、５０  ブロック部      ４８ａ、５０ａ  穴      ５２  開口
５５  下限ストッパ      ５７  ストッパ手段      ５９  支持ポスト
６１  支持ポスト      ６３  側板      ６５  側板      ６７  係合突起
６９  嵌合凸部    ７１  調整窓      ７３  繰り出しボビン
７５  開口部      ７７、１７７  ホルダ部      ７９  固定部
８１、１８１  ホルダカバー      ８３  側板      ８５  側板
８７、１８７  係合溝      ８９、１８９  テープ露出窓
９１  開口部      ９３  延長形成部
９５  裏面      ９７  クッション材      ９９  開口      １０１  本体
１０３  蓋体      １０５  回動軸      １０７  仕切板
１０９  押圧凸部      １１３  ホルダ部
Ｔ  粘着テープ      Ｓ  使い捨て便座シート
【図１】
2005330077.tif 000003
【図２】
2005330077.tif 000004
【図３】
2005330077.tif 000005
【図４】
2005330077.tif 000006
【図５】
2005330077.tif 000007
【図６】
2005330077.tif 000008
【図７】
2005330077.tif 000009
【図８】
2005330077.tif 000010
【図９】
2005330077.tif 000011
【図１０】
2005330077.tif 000012
【図１１】
2005330077.tif 000013